(57)【要約】      （修正有）【課題】冷、熱の形でエネルギーを貯蔵して冷暖房装置の冷、熱源となる熱エネルギー貯蔵部品において、気流の流動抵抗を低減し、熱交換効率を向上する熱エネルギー貯蔵ユニットを提供する。【解決手段】熱エネルギー貯蔵ユニット３の熱エネルギー貯蔵部品１０は円筒体とし、その環状断面内に熱熱エネルギー貯蔵材を充填し、円筒体内に軸方向に気流の流路１１を設け、複数の円筒体を組合せて、送風ファン２００を備えた冷暖房装置の筐体２内に収容する。円筒形状であることにより、気流の流動抵抗が低減され、効率的に熱交換できる。【選択図】図７
0003189689.tif 000002
【実用新案登録請求の範囲】
【請求項１】
蓄冷、蓄熱による熱エネルギー貯蔵ユニットを構成する熱エネルギー貯蔵部品において、
その環状断面内に熱エネルギー貯蔵材を充填すると共に
内部に軸方向に沿って気流の流通路を形成した円筒体とした、
ことを特徴とする熱エネルギー貯蔵部品。
【請求項２】
前記円筒体は、複数の環状断面の弧形ブロックを相互に組み合わせて形成した、ことを特徴とする請求項１記載の熱エネルギー貯蔵部品。
【請求項３】
前記気流の流通路は、円筒状である、ことを特徴とする請求項１記載の熱エネルギー貯蔵部品。
【請求項４】
前記円筒体の外周面に円周方向に沿って少なくとも一つの環型溝を設け、
該環型溝に嵌合する掛け紐を備えた固定部品により固定可能とした、ことを特徴とする請求項１または２記載の熱エネルギー貯蔵部品。
【請求項５】
前記円筒体の軸方向に垂直な貫通孔を設けて、該貫通孔に挿通する固定部品により固定可能とした、ことを特徴とする請求項１または２記載の熱エネルギー貯蔵部品。
【請求項６】
前記各弧形ブロックの一側縁に少なくとも一つの凸部を設け、他の側縁にはこれに対応する凹部を設けて、これらの凸部と凹部との嵌合により、各弧形ブロックを組み合わせて円筒体を構成した、ことを特徴とする請求項２記載の熱エネルギー貯蔵部品。
【請求項７】
前記各該弧形ブロックは弧形外筐を構成し、該弧形外筐の内部に該熱エネルギー貯蔵材を充填することを特徴とする請求項２記載の熱エネルギー貯蔵部品。
【請求項８】
前記円筒体は、円筒外筐を構成し、該熱エネルギー貯蔵材は該円筒外筐の内部に充填することを特徴とする請求項１記載の熱エネルギー貯蔵部品。
【請求項９】
蓄冷、蓄熱による熱エネルギー貯蔵ユニットにおいて、
請求項１から８のいずれかの熱エネルギー貯蔵部品を固定部品により、着脱可能に連接したことを特徴とする熱エネルギー貯蔵ユニット。
【請求項１０】
前記固定部品及び熱エネルギー貯蔵部品の数量は複数であり、該複数の固定部品は互いに並列配列し、該複数の熱エネルギー貯蔵部品は各該固定部品によって直列配列し、該等熱エネルギー貯蔵部品を相互に重畳及び並列配列し、該熱エネルギー貯蔵部品は互いに組み合わされて、その間に気流路を形成することを特徴とする請求項９記載の熱エネルギー貯蔵ユニット。
【考案の詳細な説明】
【技術分野】
【０００１】
本考案は、蓄冷または蓄熱による熱エネルギー貯蔵装置に関するもので、特に熱エネルギー貯蔵ユニット及びその部品に係わる。
【背景技術】
【０００２】
一般に、夏もしくは日中の気温が高くなる室内では、冷風が出るクーラーもしくは冷風扇風機で室温を下げる。また、冬もしくは夜、室内で気温が下がった時、熱風を出す温風機もしくは熱風扇風機で室温を上げる。しかし、冷風もしくは温風による冷暖房装置を始動運転すると、大量の電力エネルギーを必要とし、大量の電力を消費する。
【０００３】
今日、熱エネルギー貯蔵材が市販されている。その熱エネルギー貯蔵材は、電力使用が少ない期間に予めエネルギーを貯蔵しておき、電力ピーク時に送風ファンを始動して送風ファン及び熱エネルギー貯蔵材を合わせて使用し、室内温度を上げたり、室内温度を下げたりして、電力ピーク期の消費電力を減らし、エネルギー使用効率を向上させて電気料金を節約する。
【０００４】
熱エネルギー貯蔵材は、送風ファンを配置することによって、送風ファンが生み出す気流を熱エネルギー貯蔵材に接触させ、熱交換によって熱エネルギー貯蔵材の冷、熱エネルギーを気流へ伝える。気流は、室内環境内に流動、室内環境の温度を上げたり下げたりする。
【先行技術文献】
【特許文献】
【０００５】
【特許文献１】特開２００３−２４０４６６号公報
【考案の概要】
【考案が解決しようとする課題】
【０００６】
解決しようとする問題点は、如何にして熱エネルギー貯蔵材の流動抵抗を低下させて、気流を熱エネルギー貯蔵材にスムーズに流す効果を備えさせる点である
【０００７】
上述を鑑み、学理を運用して研究し、上述の問題を改善することを本考案の目的とする。
【課題を解決するための手段】
【０００８】
本考案は、熱エネルギー貯蔵部品として円筒体を用い、円筒体内部は、軸方向に沿って通路を設置し、円筒体はその環状断面内に熱エネルギー貯蔵材を充填する。これらに拠って、熱エネルギー貯蔵部品は円筒体であることを最も主要な特徴とする。
【考案の効果】
【０００９】
本考案の熱エネルギー貯蔵ユニット及びその部品は、以下の利点がある。
【００１０】
第一に、蓄熱量が大きい熱エネルギー貯蔵材の利用に拠って、熱エネルギー貯蔵部品としての円筒体に送風して気流を連続的に流動させて、降温もしくは昇温を行い、熱エネルギー貯蔵部品に電力消費が低い時間帯に予めエネルギーを貯め、電力消費が高い時間帯に使用することで、電力ピークを移行させ、エネルギー使用効率を高め、省電効果を高める。
【００１１】
第二に、熱エネルギー貯蔵部品は円筒体であり、且つ円筒体内部には軸方向に円筒通路を成形し、熱エネルギー貯蔵部品の外型が流動抵抗が低い長所を備え、流動抵抗を全体的に下げ、送風気流量と風速を高める。
【００１２】
第三に、円筒体の外型は、更に流動抵抗が低いという特徴を備え、気流を熱エネルギー貯蔵部品にスムーズに流し、熱エネルギー貯蔵部品と一定の接触面積を保ち、更に熱エネルギー貯蔵部品と気流の間の熱交換に最良の機能を備える。
【００１３】
第四に、熱エネルギー貯蔵部品の円筒体が蓄冷もしくは蓄熱機能を失った時、熱エネルギー貯蔵ユニット内の円筒体を取り出して交換するだけで、熱エネルギー貯蔵ユニットが即座に冷房もしくは暖房能力を回復し、良好な温度制御調節効果を達成する。
【００１４】
第五に、各円筒体は前後直列及び左右に並べるか、もしくは各円筒体を上下並列で配列する。その配列方式は円筒体の外型及び位置が互いに流動抵抗が低いため、四個の円筒体を合わせて一つに形成した気流路は流動抵抗が低いという特徴を備え、気流を更に熱エネルギー貯蔵部品にスムーズ且つスピーディに流す。
【図面の簡単な説明】
【００１５】
【図１】本考案の熱エネルギー貯蔵部品の第一実施例の立体分解図である。
【図２】本考案の熱エネルギー貯蔵部品の第一実施例の第一使用状態指示図である。
【図３】本考案の熱エネルギー貯蔵部品の第一実施例の第二使用状態指示図である。
【図４】本考案の熱エネルギー貯蔵部品の第二実施例の使用状態指示図である。
【図５】本考案の熱エネルギー貯蔵部品の第三実施例の使用状態指示図である。
【図６】本考案の熱エネルギー貯蔵部品の第四実施例の立体分解図である。
【図７】本考案の熱エネルギー貯蔵ユニットの立体分解図である。
【図８】本考案の熱エネルギー貯蔵ユニットの組立断面図である。
【図９】本考案の熱エネルギー貯蔵ユニットの使用状態指示図である。
【図１０】本考案の熱エネルギー貯蔵ユニット別一実施例の組立断面図である。
【考案を実施するための形態】
【００１６】
熱エネルギー貯蔵部品が円筒体であり、熱エネルギー貯蔵部品の外型流動抵抗が低い長所を備えることから、気流は更に熱エネルギー貯蔵部品にスムーズ且つスピーディに流動する熱エネルギー貯蔵ユニット及びその部品を提供することを本考案の一目的とする。
【００１７】
上述の目的を達成するため、本考案は熱エネルギー貯蔵部品を提供し、以下の構成からなる。
【００１８】
円筒体は、内部軸方向に沿って円筒通路を設置し、該円筒体は熱エネルギー貯蔵材を充填する。
【００１９】
上述の目的を達成するため、本考案は熱エネルギー貯蔵ユニットを提供し、以下の構成からなる。
【００２０】
固定部品及び
少なくとも一熱エネルギー貯蔵部品で、該熱エネルギー貯蔵部品は該固定部品により着脱式で連接する。
【実施例１】
【００２１】
本考案の詳細な説明及び技術内容を図式と共に説明するが、以下は本考案の権利範囲を制限するものではない。
【００２２】
図１から図１０に示すとおり、本考案は熱エネルギー貯蔵ユニット及び熱エネルギー貯蔵部品を提供し、その熱エネルギー貯蔵部品１０は円筒体１を備える。
【００２３】
図１から図３に示すのは、本考案の熱エネルギー貯蔵部品１０の第一実施例である。円筒体１内部は、軸方向に沿って通路１１’を設置する。通路１１’は、円形、三角形、方形、多角形等その他幾何学的形状でも良い。但し、通路１１’の最良実施例は円筒通路１１である。円筒体１内には熱エネルギー貯蔵材１３を充填し、円筒体１は複数の弧形ブロック１２を相互に組み合わせて構成される。その他、各弧形ブロック１２の軸方向の断面には一もしくは複数の凸部１２１を備え、他の側には一もしくは複数の凹部１２２を備え、各弧形ブロック１２の凸部１２１は別弧形ブロック１２の凹部１２２に対応して嵌合して一体化して環状断面の円筒体１を形成する。
【００２４】
詳細な説明は以下のとおりであるが、各弧形ブロック１２は環状の断面の弧形外筐１６を形成し、熱エネルギー貯蔵材１３を弧形外筐１６の内部に充填する。円筒通路１１は弧形外筐１６に囲まれて軸方向に沿って延長され、凸部１２１は弧形外筐１６の一側に設けられ、これに相対する凹部１２２は弧形外筐１６の他側に設けられる。
【００２５】
また、円筒体１は複数使用するが、図２に示すとおり、各円筒体１は互いに重畳配列して使用するか、もしくは図３に示すとおり、軸方向に接続して、延長して使用する。
【００２６】
本考案の熱エネルギー貯蔵部品１０の組立は、円筒体１内部軸方向に沿って通路１１’を形成する。これにより、熱エネルギー貯蔵部品１０は円筒体１であり、且つ通路１１’の最良実施例は円筒通路１１であり、熱エネルギー貯蔵部品１０の外型は流動抵抗が低いという長所を備え、気流は熱エネルギー貯蔵部品１０間をスムーズ且つスピーディに流動する。
【実施例２】
【００２７】
図４に示すのは、本考案熱エネルギー貯蔵部品１０の第二実施例であり、第二実施例は、第一実施例とおよそ同じであるが、第二実施例が第一実施例と異なるのは、第二実施例の円筒体１をそれぞれ貫通する一もしくは複数の貫穿孔１４を設置する。
【００２８】
この貫通孔１４に対して吊り掛け部品３１を備えた固定部品３０を挿通し、複数個の円筒体１を重畳配列して吊り掛け部品３１で止め、熱エネルギー貯蔵ユニットとする。これらによって、第一実施例と同じ機能及び効果を達成する。
【実施例３】
【００２９】
図５に示すのは、本考案の熱エネルギー貯蔵部品１０の第三実施例である。第三実施例は、第一実施例とほぼ同じであるが、第三実施例が第一実施例と異なる点として、第三実施例の円筒体１の外周辺面に沿って円周方向に一もしくは複数の環型溝１５を設置する。
【００３０】
この環型溝１５に掛け紐３３を備えた固定部品３０の吊り掛け部品３１は掛け紐３３を備え、この掛け紐３３をＵ字型に湾曲させて環型溝１５に沿って配置してその溝に嵌入し、順次複数の円筒体１の環型溝１５に通して掛け紐３３で定位し、複数個の円筒体１を重畳配列して熱エネルギー貯蔵ユニットとして使用する。
これらによって、第一実施例と同じ機能及び効果を達成する。
【実施例４】
【００３１】
図６に示すのは、本考案の熱エネルギー貯蔵部品１０の第四実施例である。第四実施例は第一実施例とほぼ同じであるが、第四実施例が第一実施例と異なる点として、第四実施例の円筒体１は、円筒外筐１７を構成し、熱エネルギー貯蔵材１３は円筒外筐１７の内部に充填する。
【００３２】
その用法の第四実施例は第二実施例と同様であって、複数の円筒体１を貫通する貫通孔（図未提示）を設けて組み合わせ、第二実施例と同様の機能及び効果を達成する。
【００３３】
また、他の用法である第四実施例は第三実施例と同じであり、その円筒体１の外周面には、円周方向に沿って一もしくは複数の環型溝（図未提示）を設けて、第三実施例と同様に配列して同じ機能及び効果を達成する。
【００３４】
これらの円筒通路１１は円筒外筐１７の中央に軸方向に沿って開設され。それらによって、第一実施例と同じ機能及び効果を達成する。
【００３５】
図７から図１０に示すのは、本考案の熱エネルギー貯蔵ユニット３を用いた冷暖房装置であって、送風ファン２００及び筐体２を備え、送風ファン２００は気流２０１を発生する。
その熱エネルギー貯蔵ユニット３は、固定部品３０及び一もしくは複数の熱エネルギー貯蔵部品１０を備える。図示する例では、熱エネルギー貯蔵部品１０の第四実施例を例としているが、熱エネルギー貯蔵部品１０のその他の実施例の態様で実施してもよい。
【００３６】
熱エネルギー貯蔵部品１０は、固定部品３０により着脱式で連接する。
本実施例の固定部品３０及び熱エネルギー貯蔵部品１０の数量は複数とする。複数の各熱エネルギー貯蔵部品１０は、各固定部品３０によって互いに直列に配列し、各熱エネルギー貯蔵部品１０を相互に重疊及び並列配列する。四つの熱エネルギー貯蔵部品１０は、互いに組み合わせて一つにし、それらの間に気流路４０を形成する。
【００３７】
筐体２は、熱エネルギー貯蔵部品１０の収容空間２１を備える。送風ファン２００は収容空間２１に配置し、固定部品３０は収容空間２１内で固定され、送風ファン２００が生み出す気流２０１が熱エネルギー貯蔵部品１０に向けて流動る。固定部品３０は吊り掛け部品３１でもよく、その吊り掛け部品３１末端は掛合部３１１を備え、吊り掛け部品３１は、掛合部３１１で筐体２に掛合する。
本考案熱エネルギー貯蔵ユニット３の組立は、図７から図９に示すとおり、熱エネルギー貯蔵部品１０を固定部品３０により着脱式で連接する。これらにおいて、熱エネルギー貯蔵部品１０は円筒体１からなり、且つ円筒体１内部は円筒通路１１に設置することで、熱エネルギー貯蔵部品１０の外型は流動抵抗が低いという長所を備え、更に全体の流動抵抗を下げ、流動する気流流量と風速を向上させ、気流２０１を熱エネルギー貯蔵部品１０に更にスムーズ且つスピーディに流す。
【００３８】
本考案熱エネルギー貯蔵ユニット３及び熱エネルギー貯蔵部品１０の使用状態は、図９に示すとおり、送風ファン２００を起動すると気流２０１を発生し、気流２０１を収容空間２１に流す。
先ず、円筒体１を電力消費が低い時間帯（例として夜間）に予め冷却もしくは加熱する。次に円筒体１を収容空間２１内に置き、円筒体１が流動する気流２０１によって温度が上がったり、下がったりするのを待つ。
熱エネルギー貯蔵部品１０で電力消費が低い時間帯（例として夜間）に予めエネルギーを貯蔵し、次に電力消費が高い時間帯に使用することで、ピーク時の消費を避けて使用効率を高め、電気代を節約する効果を達成する。
【００３９】
熱エネルギー貯蔵部品１０は、円筒体１であり、且つ円筒体１内部には円筒通路１１を設置し、熱エネルギー貯蔵部品１０の外型は流動抵抗が低い長所を備える。同時に、図７から図９に示すとおり、本実施例の固定部品３０及び熱エネルギー貯蔵部品１０の数は複数で、各固定部品３０は相互に並列して配列する。複数の各熱エネルギー貯蔵部品１０は、各固定部品３０を通して相互に直列配列し、各熱エネルギー貯蔵部品１０を相互上下及び左右重畳及び前後並列配列する。その配列方式は円筒体の外型及び位置が互いに相対関係であるため、流動抵抗を低くする。また、四つの熱エネルギー貯蔵部品１０は、互いに組み合わされてその間に気流路４０を形成し、その気流路４０は流動抵抗を低くする特性を備え、気流２０１を熱エネルギー貯蔵部品１０に更にスムーズ且つスピーディに当て、熱エネルギー貯蔵ユニット３の効率を高める。
【００４０】
更に、図１０に示す例は、本実施例の固定部品３０及び熱エネルギー貯蔵部品１０の数は、一個であり、単一の熱エネルギー貯蔵部品１０を収容空間２１内に固定する。
熱エネルギー貯蔵部品１０が円筒体１であり、且つ円筒体１内部に円筒通路１１を設置するため、単一熱エネルギー貯蔵部品１０の外型は流動抵抗が低くなる特徴を備える。図は熱エネルギー貯蔵部品１０の第四実施例を例としているが、熱エネルギー貯蔵部品１０のその他実施例を入れ替えても良い。
【００４１】
その他、図４を参照して、円筒体１に貫穿孔１４を設け、もしくは図５を参照して円筒体１の外周面に円周方向に沿って環型溝１５を設けて、吊り掛け部品３１によって配列する円筒体１の数量を調整可能として、円筒体１の数量は変更してもよく、即ち熱エネルギー貯蔵ユニット３を使用状況に応じて、熱エネルギー貯蔵部品１０の数量を増減して、熱エネルギー貯蔵ユニット３及び熱エネルギー貯蔵部品１０の使用便利性を向上させる。
【００４２】
最後に、吊り掛け部品３１末端は掛合部３１１を備え、掛合部３１１は、吊り掛け部品３１を筐体２からスピーディに組立もしくは取り外し、熱エネルギー貯蔵ユニット３の使用を便利にする。
【００４３】
上述のとおり、本考案の熱エネルギー貯蔵ユニット及び熱エネルギー貯蔵部品は、同類製品及び公開使用で未知であり、産業利便性を備え、新規性及び進歩性に優れる。拠って、実用新案申請の用件に符合する。
【符号の説明】
【００４４】
１０      熱エネルギー貯蔵部品
１      円筒体
１１      円筒通路
１１’    通路
１２      弧形ブロック
１２１      凸部
１２２      凹部
１３      熱エネルギー貯蔵材
１４      貫穿孔
１５      環型溝
１６      弧形外筐
１７      円筒外筐
２      筐体
２１      収容空間
３      熱エネルギー貯蔵ユニット
３０      固定部品
３１      吊り掛け部品
３１１      掛合部
３２      掛桿
３３      掛け紐
４０      気流路
２００      送風ファン
２０１      気流
【図１】
0003189689.tif 000003
【図２】
0003189689.tif 000004
【図３】
0003189689.tif 000005
【図４】
0003189689.tif 000006
【図５】
0003189689.tif 000007
【図６】
0003189689.tif 000008
【図７】
0003189689.tif 000009
【図８】
0003189689.tif 000010
【図９】
0003189689.tif 000011
【図１０】
0003189689.tif 000012